(57)【要約】【課題】人形本体全体を持ち上げることなく、力の弱い人であっても手間を掛けず、簡単に下半身用の衣料品を着せ替えることができるマネキン人形を得る。【解決手段】胴体部から二股に分かれて伸びる一対の脚部を有する人形本体と、人形本体を支持する支持体とを備え、人形本体を胴体部で上下に分断し、人形本体の分断位置よりも上側に位置する上本体と人形本体の分断位置よりも下側に位置する下本体とを連結部材を介して屈曲可能に連結し、支持体によって支持された上本体に対して下本体を屈曲させることにより、下本体における両脚部を一体的に持ち上げることができるようにする。【選択図】  図８
2017164047.tif 000002
【特許請求の範囲】
【請求項１】
胴体部から二股に分かれて伸びる一対の脚部を有する人形本体と、人形本体を支持する支持体とを備え、人形本体が胴体部で上下に分断されており、人形本体の分断位置よりも上側に位置する上本体と人形本体の分断位置よりも下側に位置する下本体とが連結部材を介して屈曲可能に連結されており、支持体によって支持された上本体に対して下本体を屈曲させることにより、下本体における両脚部が一体的に持ち上がることを特徴とするマネキン人形。
【請求項２】
人形本体が胴体部におけるアンダーバスト位置よりも下方で分断されている請求項１記載のマネキン人形。
【請求項３】
人形本体の少なくとも胴体部が人体の体型を模した立体形状に形成されており、上本体と下本体とが両本体の分断面の間に挟むように位置付けられるヒンジを介して正面側へ屈曲可能に連結されており、支持体によって背面側から支持された上本体に対して下本体を正面側へ屈曲させることにより、下本体における両脚部が正面側へ一体的に持ち上がる請求項１又は２のいずれかに記載のマネキン人形。
【請求項４】
支持体が、人形本体の下方に設置される台座と、台座から上方に伸びる支柱とを備え、上本体が支柱に取り付けられている請求項１乃至３のいずれかに記載のマネキン人形。
【請求項５】
上本体に対して下本体を所定角度屈曲させた状態で維持できる請求項１乃至４のいずれかに記載のマネキン人形。
【発明の詳細な説明】
【技術分野】
【０００１】
本発明は、マネキン人形に関するものである。
【背景技術】
【０００２】
周知のとおり、衣料品の店舗に設置されるマネキン人形は、各世代の人体を模した形状に形成されており、他の衣料品用の陳列具に比べて背が高く、店舗に設置した際に、一際需要者の目に付き易く、広告塔的な役割を果たすことから、店舗全体のディスプレーを創作する上で非常に重要なパーツとなっている。
【０００３】
前記マネキン人形の役割を考慮すれば、マネキン人形に着用される衣料品は、より多くの需要者の目に触れ、需要者がその店舗のファッションセンスを知るための指標とすることも多く、このため、店舗では、需要者の反応に合わせてマネキン人形を着せ替えることが重要な作業の一つとなっている。
【０００４】
しかし、従来のマネキン人形は、背が高く大型で重量が重いため、特に、ズボンやスカートなどの下半身用の衣料品を着せ替える際に、持ち上げるのに苦労し、また、この時、マネキン人形が転倒して怪我をしたり、衣料品が損傷してしまうケースも多いことから、力の弱い人であっても下半身用の衣料品を容易に着せ替えることができるように工夫を凝らしたマネキン人形が多数開発されている。
【０００５】
例えば、特許文献１には、胸部及び胴部と、前記胸部と前記胴部を着脱可能に結合する胸部胴部ジョイント部品を備え、前記胸部胴部ジョイント部品は、結合を解除したときに前記胴部の上端面に突出部のないシステムトルソが開示されている。
【０００６】
また、特許文献２には、被服を展示するマネキン人形体（１）を取着する揺動取付部材（２）と、該揺動取付部材（２）を枢着部（４）にて揺動自在に枢支して床面に立設される支持部材（３）と、を具備し、上記枢着部（４）が、上記揺動取付部材（２）を複数の所定の揺動角度（θ）で係止状態とし、かつ、該係止状態の手動解除が可能な角度保持機構（１０）を備えているマネキン支持装置が開示されている。
【０００７】
また、特許文献３には、パイプ状又は中実状の杆材を折曲形成した扁平状の剛体部を関節装置で繋いだマネキンと、マネキンを立った状態に保持する支持台とを備え、マネキンを構成する胴体部と両脚部とが関節装置によって屈曲可能に連結されたマネキンが開示されている。
【先行技術文献】
【特許文献】
【０００８】
【特許文献１】特開２０１４−２２６２５８号公報
【特許文献２】特開２０１１−１４７６４１号公報
【特許文献３】実開昭５９−１１８４６２号公報
【発明の概要】
【発明が解決しようとする課題】
【０００９】
前記特許文献１に開示されたシステムトルソによれば、胸部及び胴部を分離することができることから、システムトルソ全体を持ち上げることなく、胴部のみを持ち上げれば、下半身用の衣料を着せ替えることができるが、着せ替え作業毎に胸部及び胴部を分離・連結する必要があり、手間が掛かるという問題点があった。
【００１０】
また、前記特許文献２に開示されたマネキン支持装置によれば、揺動取付部材を支点としてマネキン人形体を傾斜させることができるため、マネキン人形体を持ち上げることなく、下半身用の衣料品を着せ替えることができるが、マネキン人形体を傾斜させようとすると、前方のみならず後方にも広いスペースが必要となり、壁際に設置された状態では、この機能を使用できないという問題点があった。
【００１１】
また、前記特許文献３に開示されたマネキンによれば、胴体部に対して両脚部を屈曲させることができることから、マネキン全体を持ち上げることなく、下半身用の衣料品を着せ替えることができるが、胴体部に対して両脚部が別々に屈曲するため、例えば、ズボンに着せ替える際に、両脚部を別々に持ち上げる必要があり、両脚部を持ち上げるだけで両手が埋まってズボンに両脚部を通す作業が非常にやり難いという問題点があった。なお、胴体部に対して両脚部を屈曲させた状態で、関節装置のネジを締付けることにより、当該状態を維持することもできるが、着せ替え作業毎にネジの締め付けを行う必要があり、手間が掛かるという問題点がある。そもそも前記特許文献３に開示されたマネキンのように、線材を組み合わせて形作られた構造のマネキンは、衣料品を着用させた際に、衣料品がマネキンに対してフィットせず、人が衣料品を着用した状態を再現できず、需要者も自身が衣料品を着用した状態をイメージし難いという致命的な問題点を有している。
【００１２】
そこで、本発明は、人形本体全体を持ち上げることなく、力の弱い人であっても手間を掛けず、簡単に下半身用の衣料品を着せ替えることができるマネキン人形を得ることを技術的課題として、その具現化をはかるべく、試行錯誤的に試作・実験を重ねた結果、胴体部から二股に分かれて伸びる一対の脚部を有する人形本体と、人形本体を支持する支持体とを備え、人形本体を胴体部で上下に分断し、人形本体の分断位置よりも上側に位置する上本体と人形本体の分断位置よりも下側に位置する下本体とを連結部材を介して屈曲可能に連結し、支持体によって支持された上本体に対して下本体を屈曲させることにより、下本体における両脚部を一体的に持ち上げることができるようにすればよいという刮目すべき知見を得、前記技術的課題を達成したものである。
【課題を解決するための手段】
【００１３】
前記技術的課題は、次の通りの本発明によって解決できる。
【００１４】
すなわち、本発明に係る第１の発明は、胴体部から二股に分かれて伸びる一対の脚部を有する人形本体と、人形本体を支持する支持体とを備え、人形本体が胴体部で上下に分断されており、人形本体の分断位置よりも上側に位置する上本体と人形本体の分断位置よりも下側に位置する下本体とが連結部材を介して屈曲可能に連結されており、支持体によって支持された上本体に対して下本体を屈曲させることにより、下本体における両脚部が一体的に持ち上がるマネキン人形である。
【００１５】
前記第１の発明のマネキン人形によれば、両脚部を一体的に持ち上げることができるため、両脚部を一方の手で支持することができ、他方の手が空くため、両脚部に対して下半身用の衣料品を容易に着用させることができる。また、人形本体全体を持ち上げることなく、上本体の一端に連結された状態の下本体を前方上方へ引き上げるだけでよいため、力が弱い人でも容易に着せ替え作業を行うことができる。
【００１６】
また、本発明に係る第２の発明は、前記第１の発明におけるマネキン人形において、人形本体が胴体部におけるアンダーバスト位置よりも下方で分断されているものである。
【００１７】
また、本発明に係る第３の発明は、前記第１の発明又は第２の発明におけるマネキン人形において、人形本体の少なくとも胴体部が人体を模した立体形状に形成されており、上本体と下本体とが両本体の分断面の間に挟むように位置付けられるヒンジを介して正面側へ屈曲可能に連結されており、支持体によって背面側から支持された上本体に対して下本体を正面側へ屈曲させることにより、下本体における両脚部が正面側へ一体的に持ち上がるものである。
【００１８】
前記第３の発明のマネキン人形によれば、人形本体が人体の体型を模した立体形状に形成されているため、衣料品が人形本体にフィットし、その衣料品を人体に着用した場合のイメージを需要者に正確に伝えることができる。
【００１９】
また、本発明に係る第４の発明は、前記第１の発明乃至第３の発明におけるマネキン人形において、支持体が、人形本体の下方に設置される台座と、台座から上方に伸びる支柱とを備え、上本体が支柱に取り付けられているものである。
【００２０】
また、本発明に係る第５の発明は、前記第１の発明乃至第４の発明におけるマネキン人形において、上本体に対して下本体を所定角度屈曲させた屈曲姿勢で維持できるものである。
【００２１】
第５の発明のマネキン人形によれば、人形本体を屈曲姿勢で維持できるため、両手が空いてより簡易に衣料品を着せ替えることができる。
【発明の効果】
【００２２】
本発明よれば、人形本体全体を持ち上げることなく、力の弱い人であっても手間を掛けず、簡単に下半身用の衣料品を着せ替えることができるマネキン人形を得ることができる。
【００２３】
従って、本発明の産業上利用性は非常に高いといえる。
【図面の簡単な説明】
【００２４】
【図１】実施の形態１に係るマネキン人形を示した正面図である。
【図２】図１に示すマネキン人形を示した側面図である。
【図３】図１に示すマネキン人形における人形本体の分断位置を背面側から目視した状態を示した部分斜視図である。
【図４】図３に示す連結部材の屈曲部を示した端面図である。
【図５】図１に示すマネキン人形における支持体を示した分解斜視図である。
【図６】図４に示す支持体を組み立てた状態を示した断面図である。
【図７】図１に示すマネキン人形の使用方法を示した説明端面図である。
【図８】図１に示すマネキン人形の使用方法を示した説明端面図である。
【発明を実施するための形態】
【００２５】
以下、本発明の実施の形態を説明する。
【００２６】
実施の形態１．
【００２７】
本実施の形態に係るマネキン人形１は、図１及び図２に示すように、衣料品を着用させる人形本体２と、人形本体２を支持する支持体３とから構成されており、人形本体２は、支持体３に対して着脱可能に取り付けられる。なお、本発明を説明するにあたって、人形本体２の正面側を前方とし、人形本体２の背面側（背中側）を後方とする。
【００２８】
人形本体２は、人体の体型を模した立体形状に形成されている。よって、人形本体２を構成する各部位は、人体の体型と同様に厚みを有し、人体の体型と同様に各部分で厚みが異なっている。そして、人形本体２は、胸部４、腹部５、臀部６（腰部）を含む胴体部７と、胴体部７から上方に伸びる首部８と、胴体部７から左右に伸びる一対の腕部９，９と、胴体部７から下方に伸びる一対の脚部１０，１０とを有しており、首部８、両腕部９，９及び両脚部１０，１０は、いずれも胴体部７と一体的に形成されている。
【００２９】
また、人形本体２は、胴体部７において上下に分断されており、分断位置よりも上方に位置する上本体１１及び分断位置よりも下方に位置する下本体１２に二分割されている。よって、上本体１１は、胴体部７の分断位置から上方に位置する上胴体部１３に対して首部８及び両腕部９，９が一体的に形成された構成となっており、下本体１２は、胴体部７の分断位置から下方に位置する下胴体部１４に対して両脚部１０，１０が一体的に形成された構成となっている。なお、人形本体２は、水平方向に走る分断面に沿って上下に分断されており、上本体１１及び下本体１２の互いに向かい合う分断面１５，１６の内、上本体１１の分断面１５は、僅かに上方へ窪むように湾曲しており、下本体１２の分断面１６は、平坦状に形成されている。これにより、人形本体２を直立姿勢にした際に、連結部材２１を分断面１５の内側に収納することができ、両分断面１５，１６の間に必要以上の隙間が形成されない。但し、人形本体２を直立姿勢にした際に、両分断面１５，１６の前端部を密着させてしまうと、上本体１１に対して下本体１２を屈曲させる時に、両本体１１，１２が干渉する可能性があるため、両分断面１５，１６の前端部には、ある程度の隙間を設けることが好ましい。本実施の形態においては、上本体１１の分断面１５に窪みを設けているが、分断面１５，１６の窪みは、いずれか一方又は双方に設ければよい。
【００３０】
人形本体２の分断位置は、少なくとも胴体部７における股間位置Ａよりも上方であればよく、好ましくは、股間位置Ａから胸部４におけるアンダーバスト位置Ｂ（胸部４の膨らみのすぐ下の位置）までの間、より好ましくは、股間位置Ａから腹部５におけるウエスト位置Ｃ（腹部５の最もくびれた位置）までの間、さらに好ましくは、股間位置Ａから臀部６（腰部）におけるヒップ位置Ｄ（臀部６の最も高い位置）までの間であればよい。なお、下本体１２の重量を軽くし、かつ、長さを短くすることのみを考慮すれば、できるだけ股間位置Ａの近くで分断することが好ましいが、両脚部１０，１０を繋ぐ下胴体部１４の強度を考慮すれば、下胴体部１４に対して前後方向の厚みを確保し易いヒップ位置Ｄの近傍で分断することが最も好ましい。
【００３１】
上本体の背面（背中）には、図３に示すように、人体の腰に当たる位置に支持体３が固定される固定面１７が形成されており、その固定面１７から背筋に沿って上方へ伸びる背溝１８が形成されている。そして、固定面１７には、前方上方へ傾斜しながら伸びる差込穴１９が形成されており、その差込穴１９の上方にネジ穴２０が形成されている。
【００３２】
上本体１１及び下本体１２は、互いの分断面１５，１６の間に挟むように位置付けられる連結部材２１によって屈曲可能に連結されている。連結部材２１は、いわゆるヒンジ状のものであり、上本体１１の分断面１５に固定される上側固定板２２と、下本体１２の分断面１６に固定される下側固定板２３と、両固定板２２，２３を屈曲可能に軸止めする屈曲部２４とを備えている。屈曲部２４は、図４に示すように、各固定板２２，２３の一端側に設けられる筒軸２５，２６に棒軸２７を差し込んで連結した構造になっている。なお、各軸２５，２６，２７の軸方向に対向する面の間には、各軸２５，２６，２７の相対的な回転を抑止するための滑り止めとなる皿バネ２８が挟み込まれており、一方の筒軸２６の側壁には、その一方の筒軸２６の棒軸２７に対する回転を抑止するための締めネジ２９が棒軸２７に向けて差し込まれており、これらの構造を採用することにより、連結部材２１は、両固定板２２，２３に対して所定以上の外力を加えなければ屈曲角度を変化させることができないトルクヒンジ構造になっている。また、連結部材２１は、磁性体によって構成されており、上側固定板２２の下側固定板２３と対向する面に磁石３０（図３参照）を設けられている。これにより、両固定板２２，２３の屈曲角度が０度であった場合には、両固定板２２，２３が磁力によって付着するため、更に磁力に抗する外力を加えなければ屈曲角度を変化させることができないようになっている。なお、連結部材２１は、両分断面１５，１６の前端側に屈曲部２４を位置付け、その屈曲部２４から後方に向かって伸びるように上側固定部２２を分断面１５に固定すると共に下側固定部２３を分断面１６に固定した状態になっている。これにより、屈曲部２４の回転軸は、人形本体２の分断位置の前端に位置付けれ、上本体１１に対して下本体１２を前方へ屈曲するように回転させることができるようになっている。
【００３３】
支持体３は、図５及び図６に示すように、人形本体２の下方に位置付けられる台座３１と、台座３１の上面後部から上方へ伸びる外筒体３２と、外筒体３２に挿し込まれる内筒体３３と、内筒体３３に挿し込まれるコイルバネ３４と、内筒体３３から上方へ伸びる支持フック３５と、外筒体３２の側面（後側面）にネジ止めされて内筒体３３の側面（後側面）を押さえつける押しネジ３６とから構成されている。よって、外筒体３２に挿し込まれた内筒体３３は、押しネジ３６によって押さえつけられることにより、外筒体３２に対する上下方向への移動が規制される。
【００３４】
コイルバネ３４は、図６に示すように、上側が内筒体３３に挿し込まれ、下側が内筒体３３から下方へ飛び出した状態で外筒体３２に内包されている。そして、コイルバネ３４の上側は、コイルバネ３４を構成する螺旋状の線材によって形成された隙間に対して内筒体３３の内面に架け渡されたシャフト３７が通されており、これにより、内筒体３３をコイルバネ３４に対して回転させると、シャフト３７が螺旋状の線材によって形成された隙間を上下方向へ回転しながら移動し、内筒体３３に挿し込まれるコイルバネ３４の長さを調節できる。また、コイルバネ３４の下側は、コイルバネ３４の下端に設けられた二股状の挟持体３８よって外筒体３２の内面に架け渡されたシャフト３９を挟んだ状態になっており、これにより、外筒体３２対するコイルバネ３４の回転が規制される。
【００３５】
即ち、支持体３は、外筒体３２に対して回転が規制されたコイルバネ３４に対して内筒体３３を回転させることにより、内筒体３３に挿し込まれるコイルバネ３４の長さを調節できる。換言すれば、外筒体３２に対して内筒体３３を回転させることにより、外筒体３２から上方へ飛び出す内筒体３３の長さを調整することができる。
【００３６】
支持フック３５は、内筒体３３の上端部から伸びる長尺状の板材をある程度上方へ伸ばした後に下方へＵターンさせるように前方へ折り曲げて形成されており、板材の上方へ伸びる後側部４０と板材の下方へ伸びる前側部４１との間に下方へ開口する隙間４２が形成された構造になっている。そして、前側部４１には、前方上方へ傾斜して伸びる差込軸４３が突出しており、その差込軸４３の上方にネジ穴４４が貫通している。また、後側部４０には、前側部４１のネジ穴４４と対向する位置に該ネジ穴４４にネジ止めされる固定ネジ４５（図６参照）を通すことができる大きさの窓孔４６が貫通している。なお、支持フック３５の上部は、僅かに前方へお辞儀するように傾斜している。
【００３７】
次に、本実施の形態に係るマネキン人形１の使用方法を図７及び図８に基づいて説明する。
【００３８】
先ず、図７の（ａ）に示すように、支持体３を組み立てた後、押しネジ３６を外した状態で外筒体３２に対して内筒体３３を回転させることにより、外筒体３２から上方へ飛び出す内筒体３３の長さを調整する。この時、コイルバネ３４は、内筒体３３及び支持フック３５の重量によって僅かに沈み込んだ状態であり、この後、支持フック３５に人形本体２を取り付けることによって内筒体３３及び支持フック３５の重量に人形本体２の重量が加わって深く沈み込むことを考慮しつつ、支持体３に対して人形本体２を取り付けた際に、人形本体２が台座３１から浮き上がるように支持体３全体の高さを調整する。
【００３９】
次に、図７の（ｂ）に示すように、支持体３の支持フック３５に設けられた差込軸４３を人形本体２の固定面１７に設けられた差込穴１９に差し込む。この時、人形本体２の重量によってコイルバネ３４が深く沈み込むが、人形本体２は、コイルバネ３４の弾性力によって押し上げられて台座３１から浮き上がった状態となる。この後、支持体３の支持フック３５に設けられた窓孔４６から固定ネジ４５を通し、その固定ネジ４５を支持フック３５に形成されたネジ穴４４を介して人形本体２の固定面１７に形成されたネジ穴２０にネジ止めし、支持体３に対して人形本体２を固定する。なお、人形本体２の重量によってコイルバネ３４が沈み込んだ時に、人形本体２が台座３１に接地してしまうようであれば、一度、支持体３から人形本体２を取り外し、再度支持体３全体の高さを調整すればよい。
【００４０】
次に、図８の（ａ）に示すように、支持体３に取り付けられた状態の人形本体２に対して上半身用の衣料品であるシャツＸ（図８の各図において太い点線にて示す衣料品）を着用させる。なお、シャツＸの背中側は、背溝１８と支持フック３５との間に形成される隙間に差し込む。続いて、支持体３に取り付けられた状態の人形本体２に対して下半身用の衣料品であるズボンＹ（図８の各図において太い実線にて示す衣料品）を着用させる。この時、人形本体２を直立姿勢から上本体１１に対して下本体１２を前方へ持ち上げて屈曲姿勢にし、持ち上げた下本体１２の両脚部１０，１０の足先にズボンＹを通してたくし上げる。なお、両脚部１０，１０は、下胴体部１４を介して一体的に形成されているため、両脚部１０，１０を一体的に持ち上げることができると共に、両脚部１０，１０が揃った状態に保たれるため、着せ替え作業を容易に行うことができる。また、連結部材２１は、トルクヒンジ構造を有しているため、下本体１２を持ち上げた状態で屈曲姿勢が維持され、より着せ替え作業を容易に行うことができる。
【００４１】
次に、図８の（ｂ）に示すように、人形本体２を屈曲姿勢から上本体１１に対して下本体１２を後方へ下ろして直立姿勢にし、ズボンＹの股上部分を引き上げる。なお、ズボンＹの股上部分の背中側は、支持フック３５を構成する前・後側部４０，４１の間に形成される隙間４２に差し込む。なお、人形本体２は、直立姿勢において連結部材２１を構成する両固定板２２，２３が磁石３０の磁力によって互いに引き付けられた状態となり、直立姿勢がより安定し、下本体１１に対して多少外力が加わっても上本体１２に対して下本体１１が屈曲しないようになっている。この後、必要に応じて人形本体２に履物Ｚ（図８の（ｂ）、（ｃ）において太い実線にて示す衣料品）や上着（図示せず）を着用させることにより、人形本体２に対する衣料品の着用が完了する。
【００４２】
最後に、図８の（ｃ）に示すように、衣料品を着用した状態の人形本体２をコイルバネ３４の弾性力を抗するように押し下げ、人形本体２を台座３１に接地した状態で支持体３に対して押しネジ３６をネジ止めし、内筒体３３が外筒体３２に対して上下方向に移動しないように固定する。
【００４３】
なお、マネキン人形１から人形本体２が着用している衣料品を脱がす場合には、押しネジ３６を外した後、前記手順と反対の手順で脱がせばよい。
【００４４】
本発明に係る人形本体は、前記実施の形態１のものに限定されず、胴体部から二股に分かれて伸びる一対の脚部を有するものであればよい。なお、脚部は、大腿部を備えていれば、足先まで備えてないいわゆるトルソタイプのものであってもよく、胴体部は、腹部及び臀部を備えていれば、胸部まで備えている必要はない。また、各部位が関節に可動構造を有するものや、各部位が各関節で着脱できるものであってもよい。
【００４５】
また、前記実施の形態１における支持体は、下方から持ち上げるように人形本体を支える構造になっているが、上方から吊下げるように人形本体を支えるものであってもよい。このような支持体としては、例えば、店舗の天井から吊下げられたワイヤー（支持体）によって人形本体を支持するものが考えられる。
【００４６】
また、前記実施の形態１における支持体の支持フックに該当する部分を、店舗に設置された壁や柱などに固定したものを支持体としてもよい。この場合には、人形本体を上方から吊下げている状態とも、下方から持ち上げている状態とも言える。
【符号の説明】
【００４７】
１  マネキン人形
２  人形本体
３  支持体
４  胸部
５  腹部
６  臀部
７  胴体部
８  首部
９  腕部
１０  脚部
１１  上本体
１２  下本体
１３  上胴体部
１４  下胴体部
１５，１６  分断面
１７  固定面
１８  背溝
１９  差込穴
２０  ネジ穴
２１  連結部材
２２  上側固定板
２３  下側固定板
２４  屈曲部
２５，２６  筒軸
２７  棒軸
２８  皿バネ
２９  締めネジ
３０  磁石
３１  台座
３２  外筒体
３３  内筒体
３４  コイルバネ
３５  支持フック
３６  押しネジ
３７  シャフト
３８  挟持体
３９  シャフト
４０  後側部
４１  前側部
４２  隙間
４３  差込軸
４４  ネジ穴
４５  固定ネジ
４６  窓孔
【図１】
2017164047.tif 000003
【図２】
2017164047.tif 000004
【図３】
2017164047.tif 000005
【図４】
2017164047.tif 000006
【図５】
2017164047.tif 000007
【図６】
2017164047.tif 000008
【図７】
2017164047.tif 000009
【図８】
2017164047.tif 000010